(57)【特許請求の範囲】
【請求項１】
回路基板と、回路基板の一面に環状に実装された複数の固体発光素子と、を有する発光部と；
基板支持部を有し、この基板支持部に回路基板の他面が配設されるケース体と、少なくとも一端側中央部に開口部を有し、発光部を覆うようにケース体に設けられる透光性のカバー部材と、を有するランプ本体と；
鍔状をなす支持部を有し、円筒状をなすセンサユニットで構成され、カバー部材の開口部から一部が外部に突出するように、支持部が回路基板の一面に支持されたセンサ手段と；
ランプ本体内に配設され、センサ手段の出力により発光部を点灯制御する点灯回路および制御回路を有する点灯装置と；
ランプ本体の他端側に設けられ、点灯装置に接続される口金部材と；
を具備していることを特徴とする口金付ランプ。
【請求項２】
センサ手段には、人体、明るさ、熱を検知可能で、かつ発光部の光の影響を受けない位置に検知部が設けられていることを特徴とする請求項１記載の口金付ランプ。
【請求項３】
ケース体の外周面には放射状に多数の放熱フィンが一体に形成されていることを特徴とする請求項１または請求項２記載の口金付ランプ。
【請求項４】
請求項１ないし３いずれか一記載の口金付ランプと；
この口金付ランプが装着されるソケット装置と；
を具備することを特徴とする照明器具。
【発明の詳細な説明】
【技術分野】
【０００１】
本発明の実施形態は、照明の自動的な点灯・消灯・調光等の制御を行うセンサ等を備えることができる口金付ランプおよび照明器具に関する。
【背景技術】
【０００２】
従来、センサ付の照明器具は、例えば、特許文献１、特に段落番号［０００５］および図１、図２に示されているように、反射板の開口近傍の内面に突出部を設け、この突出部にセンサ検知部を外方に向けて設けている。また、特許文献２、特に段落番号［０００５］［０００９］および図１には、リモコン信号を受信する照明器具と電源との間に挿入される脱着可能な照明制御機能付きアダプタであって、人体、明るさ、または熱を検知するセンサを備え、このアダプタを汎用のリモコン機能を持つ照明器具と電源との間に挿入するだけで、各種センサによる自動点灯・消灯等を行うことができる照明器具が示されている。さらに、特許文献３、特に、段落番号［００１４］［００１７］［００２２］および図１には、既設のシーリングコネクタ（引掛シーリング）に連結されると共に、照明灯を連結することができるシーリングコネクタ（アダプタ）に、リモコンの受信機を設け、このアダプタを既設の引掛シーリングと照明灯との間に介在させてリモコンによる点灯・消灯が行えるようにした照明灯用シーリングコネクタが示されている。
【先行技術文献】
【特許文献】
【０００３】
【特許文献１】特開２００２−１５７９１６号公報
【特許文献２】特開２００５−１５８４３９号公報
【特許文献３】実開平０６−０６２４１４号公報
【特許文献４】特開２００７−１８００１１号公報
【発明の概要】
【発明が解決しようとする課題】
【０００４】
しかしながら、特許文献１に示される照明器具は、反射板の内面にセンサが設けられるため、特に、センサが設けられた側の反射板によってセンサが隠れることからセンサの検知機能が妨げられる問題がある。また、反射板に突出部が設けられるために光源からの光が乱反射を起こして配光特性に影響を与える問題も生じる。さらに、反射板の内面に突出部やセンサが目立ち易く、外観、意匠的にも商品性を損なう問題もある。同様に、特許文献２においても、リモコンの受信部を備えたアダプタは、照明器具と電源との間に、換言すれば、特許文献２の図１に示されるように、天井面と照明器具の上面との間に挿入されることから、特に図１（ｂ）のように内部に受信部であるセンサを内蔵した場合には、器具本体が邪魔になってセンサの検知範囲が狭くなる。また、この問題を解消するために、図１（ａ）のようにアームを介してセンサを本体ケースの外側に備えるような形態にすると、アームと反対側の検知範囲が狭くなると共に、センサが天井面に突出して設けられるため外観、意匠的にも好ましくなく、さらに、天井面にアームやセンサが影となって投影され照明効果を低下させてしまう問題も生じる。さらに、特許文献３においても、リモコンの受信機を設けたアダプタを既設の引掛シーリングと照明灯との間に介在させて設けるために、特許文献２と同様の問題が生じる。
【０００５】
一方、近年、ダウンライト等の光源としてフラットな薄型構造のコンパクト形の口金付ランプが用いられている。この種のコンパクト形蛍光ランプは、例えば、特許文献４、特に段落番号［００３５］［００５６］および図１、図２に示されているように、天井面に直付けされるソケット装置に着脱可能に装着され、口金ピンをソケット装置の給電口に挿入して所定方向に回動させると、口金ピンがソケット装置の接続金具に電気的に接続されると共に機械的に保持される。この口金ピンは、薄型構造を阻害しないように、ピン形のＧＸ５３形式の口金が用いられている（段落番号［００３７］参照）。
【０００６】
しかし、この種の口金付ランプを用いて調光機能を有するダウンライト等を構成した場合、ランプがフラットな薄型構造を呈しているにも拘わらず、センサ部分が突出して器具の小型化が阻害されると共に、光源の配光特性に影響を与え、また外観、意匠的な問題も生じ、さらにはセンサの検知範囲が狭くなる問題が生じてしまう。この問題は、センサに限らず、例えば、補助的なスポットライトや常夜灯などの補助機能部材を付加した場合においても同様、これら補助機能部材が突出して器具の小形化が阻害されると共に、光源の配光特性に影響を与え、また外観、意匠的な問題が生じてしまう。
【０００７】
本発明は、上記問題に鑑みてなされたもので、これら補助機能部材を付加しても配光特性に影響を与えることがなく、外観、意匠的にも問題がなく、さらに小形化が可能な口金付ランプおよび照明器具を提供しようとするものである。
【課題を解決するための手段】
【０００８】
本発明の実施形態における口金付ランプの発明は、請求項１に示すとおり、回路基板と、回路基板の一面に環状に実装された複数の固体発光素子と、を有する発光部と；基板支持部を有し、この基板支持部に回路基板の他面が配設されるケース体と、少なくとも一端側中央部に開口部を有し、発光部を覆うようにケース体に設けられる透光性のカバー部材と、を有するランプ本体と；鍔状をなす支持部を有し、円筒状をなすセンサユニットで構成され、カバー部材の開口部から一部が外部に突出するように、支持部が回路基板の一面に支持されたセンサ手段と；ランプ本体内に配設され、センサ手段の出力により発光部を点灯制御する点灯回路および制御回路を有する点灯装置と；ランプ本体の他端側に設けられ、点灯装置に接続される口金部材と；を具備していることを特徴とする。本発明によれば、配光特性に影響を与えることがなく、外観、意匠的にも問題がなく、さらに小形化が可能な口金付ランプを構成することが可能となる。
【０００９】
本発明において、口金付ランプは、ＧＸ５３形式の口金を用いたフラットな薄型構造のランプを構成することが好ましいが、ランプの形状としては、一般白熱電球の形状に近似させた電球形の口金付ランプ（Ａ形またはＰＳ形）、ボール形の口金付ランプ（Ｇ形）、円筒形の口金付ランプ（Ｔ形）、レフ形の口金付ランプ（Ｒ形）等のランプ形状に構成してもよい。また本発明は、フラットな薄型構造のランプや一般白熱電球のランプ形状に近似させた口金付ランプに限らず、その他各種の外観形状、用途をなす口金付ランプに適用することができる。
【００１０】
ランプ本体は、発光部や点灯装置を配設するためのケース体と、光を拡散させたり発光部を保護するためのグローブや保護カバー等からなるカバー部材からなることが許容される。外観形状は、フラットな薄型構造の口金付ランプを構成するために、平面が略円形で中央部に開口部を有する皿形をなす形状に構成することが好ましいが、平面が三角形、四角形、六角形などの多角形状、さらには楕円形状等をなすものであってもよい。
【００１１】
また、ランプ本体の中央部に有する開口部は、センサ等の補助機能部材を設けるための開口で、ランプ本体の中央部に外部に臨ませた開口部を有して構成されるが、ランプ本体を構成するカバー部材のみで貫通しない凹部からなる開口部を構成しても、またはカバー部材とケース体によりランプ本体の中央部にランプ表面から裏面にわたり貫通する筒状の孔で開口部を構成し、ランプ本体の全体形状が略ドーナツ状をなすように構成してもよい。なお、開口部は、ランプ本体の中央部に設けられるが厳密な意味での中央である必要はなく。ランプ本体の略中央部分に位置していればよい。
【００１２】
ランプ本体を構成するケース体は、発光部や点灯装置の放熱性を高めるために熱伝導性の良好な金属、例えば、アルミニウム（Ａｌ）、銅（Ｃｕ）、鉄（Ｆｅ）、ニッケル（Ｎｉ）の少なくとも一種を含む金属で形成することが好ましいが、この他に、窒化アルミニウム（ＡｌＮ）等からなるセラミックス、シリコンカーバイト（ＳｉＣ）などの工業材料で構成してもよい。さらには、耐熱性、耐候性、電気絶縁性に優れたＰＢＴ（ポリブチレンテレフタレート）や高熱伝導樹脂等の合成樹脂で構成してもよい。
【００１３】
また、ケース体と共にランプ本体を構成するカバー部材は、透光性を有する透明または半透明のガラスや合成樹脂で構成されることが許容される。カバー部材は、本発明の目的を達成するために必ずしも必要な条件ではなく、例えば、補助機能部材を介在させる開口部をカバー部材以外の部材、例えば、ケース体のみで構成することが可能な場合には、カバー部材を省略してグローブレスの口金付ランプを構成してもよい。
【００１４】
発光部は、発光ダイオード、半導体レーザ、有機ＥＬなどを発光源とした固体発光素子で構成されることが好適であるが、小形の白熱電球で構成されたものであってもよい。発光部は、これら固体発光素子や小形の白熱電球を複数個用いて、ランプ本体内の一面側に配設された環状の発光部を構成することが好ましいが、発光管を環状に形成した蛍光ランプ等の放電灯、さらには環状に形成したハロゲンランプ等で構成されたものであってもよい。また、発光部の環状をなす形状は、円形や、三角形、四角形、六角形などの多角形状、さらには楕円形状等をなすものであってもよく、目的とする配光特性を得るための全ての形状が許容される。また、発光部は白色で発光するように構成することが好ましいが、照明器具の用途に応じ、赤色、青色、緑色等でも、さらには各種の色を組み合わせて構成してもよい。
【００１５】
ランプ本体の開口部に介在される補助機能部材は、人体、明るさ、熱等を検知する機能を有するセンサで構成し、センサ付の口金ランプを構成することが許容されるが、センサに限らず、例えば、補助的なスポットライト、常夜灯の機能を有するスポットライト、さらには、発光部等から発生する熱を放熱するためのファン機能を有する放熱部材等であってもよい。
【００１６】
また、これら、補助機能部材は、ランプ本体、すなわち、口金付ランプ自体に設けられて、これら補助機能部材を付加した口金付ランプとして構成されることが許容されるが、ここでは、口金付ランプに設けられることが条件ではなく、例えば、口金付ランプが装着されるソケット装置や引掛シーリングに接続されるアダプタ装置に設けられ、これら補助機能部材を付加した装置と口金付ランプが接続されることによって、補助機能部材がランプ本体の開口部に介在され、ランプ本体の中央部に配設されるものであってもよい。
【００１７】
発光部を点灯制御する点灯装置は、固体発光素子で構成した場合には、例えば、交流電圧１００Ｖを直流電圧２４Ｖに変換して発光素子に定電流の直流電流を供給する点灯回路を構成するものが許容される。また、蛍光ランプ等の放電灯で構成した場合には、例えば、インバータ回路等を有する安定器で構成されたものが許容される。また、点灯装置は、センサの検知信号により発光部を自動的に点灯・消灯・点滅・調光や調色等の制御を行う制御部を有することが許容される。
【００１８】
点灯装置に接続される口金部材は、フラットな薄型構造の口金付ランプを構成するために、ＧＸ５３形式の口金で構成されることが好適であるが、蛍光ランプに使用されるピン形の端子を有する口金でも、引掛シーリングに使用されるＬ字形の端子を有する口金でもよく、特定の口金には限定されない。
【００１９】
請求項２に記載の発明は、請求項１記載の口金付ランプにおいて、センサ手段には、人体、明るさ、熱を検知可能で、かつ発光部の光の影響を受けない位置に検知部が設けられていることを特徴とする。
【００２０】
請求項３に記載の発明は、請求項１または２記載の口金付ランプにおいて、ケース体の外周面には放射状に多数の放熱フィンが一体に形成されていることを特徴とする。
【００２２】
本発明によれば、配光特性に影響を与えることがなく、外観、意匠的にも問題がなく、さらに小形化が可能な補助機能付の口金付ランプを構成することが可能となる。
本発明において、補助機能部材は、一端部に鍔状をなす支持部を有し、センサであれば他端部に検知素子を有する例えば円筒状をなすユニットで構成されることが好ましいが、四角形、六角形等の角筒状をなすように構成してもよい。また、これらユニットは、例えば、一端部の鍔状をなす支持部が発光部の回路基板に対して略垂直方向に支持されランプ本体の開口部に介在されてランプ本体の中央部に配設されることが許容される。
【００２３】
本発明において、センサユニットにおける検知素子を、ランプ本体の開口部から突出させて外部に向かって臨ませることが検知範囲を広くするために有効であるが、許容される検知範囲を確保しながら、検知素子を開口部から突出させないように外部に向かって臨ませるようにしてもよい。さらに、検知素子を開口部から突出させて外部に向かって臨ませる場合には、検知素子が発光部の光の影響を受けないように、検知素子の周囲に遮光体を設けることが、検知性能を向上させるために有効である。これら遮光体の構成、検知素子を開口部に臨ませる形態は、検知範囲や検知性能を考慮して設計上で適宜選択され設定される。
【００２４】
請求項４に記載の照明器具の発明は、請求項１ないし３いずれか一記載の口金付ランプと；この口金付ランプが装着されるソケット装置と；を具備することを特徴とする。本発明によれば、請求項１ないし３いずれか一記載の口金付ランプを用い、配光特性に影響を与えることがなく、外観、意匠的にも問題がなく、さらに小形化が可能な照明器具を構成することが可能となる。
【００２５】
本発明において、ソケット装置は、例えば、スポットライトのように、単体のソケット装置に対し、口金付ランプを装着して照明器具を構成することができるような独立したソケット装置であっても、ダウンライトにように、ソケット装置を器具本体や反射板に対して取り付け、この器具に組み込まれたソケット装置に口金付ランプを装着し照明器具を構成するような器具組み込み形のソケット装置であってもよい。
【００２６】
ソケット装置は、上述した口金付ランプのランプ本体で記載したと同様の材質・外観形状を有していることが許容されるが、ランプ本体と同様な材質・外観形状である必要はなく、例えば、ランプ本体がアルミニウムで構成されるのに対して、ソケット装置は合成樹脂で構成したり、ランプ本体の平面形状が円形で構成され、ソケット装置は四角形で構成したものであってもよい。
【００２７】
口金部材が接続されるソケット装置は、口金部材が電気的に接続された際に、口金付ランプに商用電源を供給するための部材で、一定の剛性とバネ性を有し、かつ導電性の良好な金属、例えば、銅、黄銅、リン青銅等からなる端子板を有することが許容される。また、端子板の口金付ランプに対する電気接続時に、同時に機械的に保持されることが好ましいが、ここでは、同時に機械的に保持されることは必要な条件ではなく、機械的な保持は、例えば、磁力による結合手段等で行うようにしてもよい。
【００２８】
他の実施形態の照明器具の発明は、ランプ本体の開口部は貫通する筒状の孔で構成された請求項１記載の口金付ランプと；口金付ランプの口金部材が接続されるソケット装置と；一端部の支持部がソケット装置に支持され、ランプ本体の開口部に設けられてランプ本体の中央部に配設されると共に、他端部をランプ本体の開口部から外部に向かって臨ませた補助機能部材と；を具備していることを特徴とする。
【００２９】
この実施形態によれば、請求項１記載の口金付ランプを用い、一端部の支持部がソケット装置に支持され、ランプ本体の開口部に設けられてランプ本体の中央部に配設されると共に、他端部をランプ本体の開口部から外部に向かって臨ませた補助機能部材により、配光特性に影響を与えることがなく、外観、意匠的にも問題がなく、さらに小形化が可能な照明器具を構成することが可能となる。
【００３０】
この実施形態において、一端部の支持部がソケット装置に支持される補助機能部材は、例えば、一端部の鍔状をなす支持部がソケット装置の一端部側、若しくは、他端部側に直接支持され一体化されるものであっても、ソケット装置に直接支持されることなく、ソケット装置の一端部側と器具本体の反射板等の内面との間に挟持されて支持されるように、ソケット装置に対して一体化せずに間接的に支持されるものであってもよい。
【００３１】
他の実施形態の照明器具の発明は、ランプ本体の開口部は貫通する筒状の孔で構成された請求項１記載の口金付ランプと；口金付ランプの口金部材が接続されると共に、引掛シーリングに接続されるアダプタ装置と；一端部の支持部がアダプタ装置に支持され、ランプ本体の開口部に設けられてランプ本体の中央部に配設されると共に、他端部をランプ本体の開口部から外部に向かって臨ませた補助機能部材と；を具備していることを特徴とする。
【００３２】
この実施形態によれば、請求項１記載の口金付ランプを用い、一端部の支持部がアダプタ装置に支持され、ランプ本体の開口部に設けられてランプ本体の中央部に配設されると共に、他端部をランプ本体の開口部から外部に向かって臨ませた補助機能部材により、配光特性に影響を与えることがなく、外観、意匠的にも問題がなく、さらに小形化が可能な照明器具を構成することが可能となる。
【００３３】
この実施形態において、口金付ランプの口金部材が接続されると共に、引掛シーリングに接続されるアダプタ装置は、口金部材が電気的に接続された際に、口金付ランプに対して引掛シーリングを介して商用電源を供給するための部材で、一定の剛性とバネ性を有し、かつ導電性の良好な金属、例えば、銅、黄銅、リン青銅等からなる端子板を有することが許容される。また、端子板の口金付ランプに対する電気接続時に、同時に機械的に保持されることが好ましいが、ここでは、ソケット装置と同様に、同時に機械的に保持されることは必要な条件ではなく、機械的な保持は、例えば、磁力による結合手段等で行うようにしてもよい。
【００３４】
アダプタ装置は、上述した口金付ランプのランプ本体で記載したと同様の材質・外観形状を有していることが許容されるが、ランプ本体と同様な材質・外観形状である必要はなく、例えば、ランプ本体がアルミニウムで構成されるのに対して、アダプタ装置は合成樹脂で構成したり、ランプ本体の平面形状が円形で構成され、アダプタ装置は四角形で構成したものであってもよい。
【００３５】
また、一端部の支持部がアダプタ装置に支持される補助機能部材は、例えば、一端部の鍔状をなす支持部がアダプタ装置の一端部側、若しくは、他端部側に直接支持され一体化されるものであっても、アダプタ装置に直接支持されることなく、アダプタ装置の他端部側と口金付ランプの底面との間に挟持されて支持されるように、アダプタ装置に対して一体化せずに間接的に支持されるものであってもよい。
【００３６】
また、他の実施形態の照明器具は、天井埋込形、直付形、吊下形、さらには壁面取付形等が許容され、器具本体に制光体としてグローブ、セード、反射体などが取付けられるものであっても光源となる口金付ランプが露出するものであってもよい。また、器具本体に１個の口金付ランプを取付けたものに限らず、複数個が配設されるものであってもよい。さらに、オフィス等、施設・業務用の大型の照明器具などを構成してもよい。
【発明の効果】
【００３７】
請求項１ないし４に記載の発明によれば、配光特性に影響を与えることがなく、外観、意匠的にも問題がなく、さらに小形化が可能な口金付ランプを構成することが可能となる。
【図面の簡単な説明】
【００３８】
【図１】第１の実施形態である口金付ランプを示し、（ａ）は斜視図、（ｂ）は図２のｂ−ｂ線に沿う断面斜視図。
【図２】同じく口金付ランプを示すカバー部材を取り外して示す上面図。
【図３】同じく口金付ランプの点灯装置を示す回路ブロック図。
【図４】同じく点灯装置の変形例を示す回路ブロック図。
【図５】第２の実施形態である口金付ランプを示し、（ａ）は斜視図、（ｂ）は図６（ａ）のｂ−ｂ線に沿う断面斜視図。
【図６】同じく口金付ランプを示し、（ａ）はカバー部材を取り外して示す上面図、（ｂ）は補助機能部材であるセンサユニットの斜視図。
【図７】同じく口金付ランプの変形例を示し、（ａ）は第１の変形例を示す断面斜視図、（ｂ）は第２の変形例を示す断面斜視図、（ｃ）は第３の変形例を示す断面斜視図。
【図８】第３の実施形態である照明器具を示し、（ａ）はソケット装置の上面図、（ｂ）は（ａ）図のｂ−ｂ線に沿う縦断面図、（ｃ）は端子板を示す斜視図。
【図９】同じく口金付ランプをソケット装置に装着する状態を示し、（ａ）はソケット装置の上面図、（ｂ）は口金付ランプの底面図。
【図１０】同じく口金付ランプをソケット装置に装着した照明器具を天井面に設置した状態を示す縦断面図。
【図１１】同じく口金付ランプをソケット装置に装着した照明器具の断面斜視図。
【図１２】同じく口金付ランプをソケット装置に装着する状態を示す斜視図。
【図１３】同じく点灯装置を示す回路ブロック図。
【図１４】第４の実施形態である照明器具を示し、（ａ）は口金付ランプのカバー部材を取り外して示す上面図、（ｂ）は（ａ）図のａ−ａ線に沿う断面斜視図。
【図１５】同じく照明器具を示す図１４（ａ）のａ−ｂ線に沿う断面斜視図。
【図１６】同じく口金付ランプをソケット装置に装着する状態を示し、（ａ）はソケット装置の上面図、（ｂ）は口金付ランプの底面図。
【図１７】同じく点灯装置を示す回路ブロック図。
【図１８】第５の実施形態である照明器具を示す断面斜視図。
【図１９】同じく口金付ランプをアダプタ装置に装着する状態を示し、（ａ）はアダプタ装置の上面図、（ｂ）は口金付ランプの底面図。
【図２０】同じく点灯装置を示す回路ブロック図。
【発明を実施するための形態】
【００３９】
以下、口金付ランプおよび照明器具の実施形態について説明する。
【実施例１】
【００４０】
本実施例は、ＧＸ５３形式の口金部材が設けられた補助機能部材を付加することが可能なフラットな薄型構造の口金付ランプ１０を構成するもので、図１〜図３に示すように、中央部に外部に臨ませた開口部１１ｃを有する環状のランプ本体１１、ランプ本体内の一面側に配設される環状の発光部１２、前記ランプ本体の開口部１１ｃに介在される補助機能部材１３、ランプ本体内の他面側に配設され、センサの検知信号により発光部を点灯制御する点灯装置１４、点灯装置に接続される口金部材１５で構成する。
【００４１】
ランプ本体１１を構成するランプ本体１１は、発光部１２や点灯装置１４を配設するためのケース体１１ａと、光を拡散させるためのグローブで構成されたカバー部材１１ｂからなる。外観形状は、フラットな薄型構造の口金付ランプを構成するために、平面が略円形で略中央部に開口部１１ｃを設けた皿形をなす形状に構成する。ケース体１１ａは、放熱性を高めるために熱伝導性の良好な金属、本実施例では、アルミニウムで構成された横断面の平面形状が略円形の皿形をなし、一端部側の開口１１ａ１には、円形の凹段部からなる基板支持部１１ａ２が一体に形成される。基板支持部は、その凹段部の底面が平坦な面になるように形成され、周囲にリング状をなす凸条部１１ａ３が一体に形成される。ケース体１１ａの他端部側は外底面に環状の支持段部１１ａ４が形成されるように凹嵌部１１ａ５が突出されて一体に形成される。また、ケース体１１ａの外周面には放射状に多数の放熱フィン１１ａ６を一体に形成する。これら構成のケース体１１ａは、例えば、鋳造鍛造または切削加工等で加工される。
【００４２】
ケース体１１ａと共にランプ本体１１を構成するカバー部材１１ｂは、ランプのグローブを構成するもので、透光性を有する乳白色のガラスで構成され、一端部側に開口１１ｂ１を設けた扁平な曲面形状に形成されている。開口１１ｂ１を囲む縁部は円筒状の側壁部１１ｂ２となるとともに、この開口に対向する表面は滑らかな曲面状に形成され、その略中央部に円筒状をなす開口部１１ｃを一体に形成する。開口部１１ｃは、補助機能部材１３を付加した口金付ランプを構成する場合に、後述する補助機能部材１３を収納し介在させて設けるための円筒状をなす空間部で、カバー部材１１ｂ表面の略中央部、すなわち、ランプ本体１１表面の略中央部に外部に臨ませた開口１１ｃ１と凹部からなる開口部で構成される。なお、本実施例において、ランプ本体１１の開口部１１ｃに設置することが可能な補助機能部材１３は、センサを例にして説明する。以下、補助機能部材１３は「センサ１３」と称し説明する。
【００４３】
発光部１２は、図１（ｂ）に示すように、固体発光素子１２ａと固体発光素子を実装した回路基板１２ｂからなる。固体発光素子は、本実施例では発光ダイオード（以下「ＬＥＤ」と称す）で構成し、本実施例では６個のＳＭＤタイプのＬＥＤ１２ａからなる。なお、ＬＥＤとしては、複数個のＬＥＤチップおよびこのＬＥＤチップにより励起される蛍光体により白色（昼白色、昼光色、電球色を含む）を発光するタイプの、いわゆるＣＯＢ形であってもよい。回路基板１２ｂは、熱伝導性の良好な金属、本実施例では平板状の薄い円形の板状をなすアルミニウムで構成され、その表面（図１（ｂ）における上方の面）にシリコーン樹脂等の電気絶縁層を介して銅箔からなる配線パターンが形成され、この配線パターン上に６個の各ＬＥＤ１２ａが略同心円状をなすように略等間隔に配設されて実装される（図２（ａ））。これにより円形で板状をなす回路基板１２ｂに、６個のＬＥＤ１２ａが略対称となるように配設された発光モジュールからなる発光部１２が構成される。
【００４４】
上記のように回路基板１２ｂにＬＥＤ１２ａを実装した発光部１２は、ケース体１１ａの一端部側に形成された基板支持部１１ａ２に電気絶縁を図り、かつ密着されるように配設され、また、必要に応じてシリコーン樹脂等で構成された電気絶縁シート等（図示せず）を介して、平坦な面をなす基板支持部１１ａ２の底面にネジ等の固定手段１２ｃを用い密着して固定される。そして、発光部１２を覆うようにカバー部材１１ｂの開口１１ｂ１を、ケース体１１ａの一端部側の凸条部１１ａ３内面に所定の重ね代を有して嵌め込み、さらに、シリコーン樹脂やエポキシ樹脂等の接着剤を用いて固定する。これにより、６個のＬＥＤ１２ａからなる発光部１２が、ランプ本体１１内の一面側で開口部１１ｃの周囲に位置して環状に連なるように配設され、発光部１２の光軸が、ランプ本体１１の中心軸に略合致し、全体として上面視で略円形のドーナツ状をなす発光面が構成される。
【００４５】
点灯装置１４は、交流電圧１００Ｖを直流電圧２４Ｖに変換してＬＥＤ１２ａに定電流の直流電流を供給する点灯回路１４ａと、センサの検知信号により発光部１２を自動的に点灯・消灯、調光や調色等を行う制御部を構成する制御回路１４ｂで構成する。これら点灯回路１４ａおよび制御回路１４ｂを構成する電子部品１４ｃは、図１（ｂ）に示すように、円形の平板状のガラスエポキシ製の回路基板１４ｄに実装される。回路基板１４ｄは片面または両面に回路パターンが形成され、その実装面に点灯回路１４ａおよび制御回路１４ｂを構成するための複数の小形の電子部品１４ｃが実装されてランプ本体１１内の他面側に配設される。特に、大きな部品はケース体１１ａの凹嵌部１１ａ５内に収容され、ランプ本体１１のフラットな薄型構造を形成している。
【００４６】
上記に構成された点灯装置１４の回路基板１４ｄは、電気絶縁性を有する合成樹脂、本実施例では、ＰＢＴ製の支持脚１４ｅを介してケース体１１ａ内の他面側に、発光部１２の回路基板１２ｂの下方で、かつケース体の底面から所定の間隔を有するようにして配設され支持される。図１（ｂ）中、１６は遮熱板で、ＰＢＴなどの耐熱性で電気絶縁性を有し、かつ熱絶縁性を有する合成樹脂で円板状に形成され、回路基板１４ｄの上面中央部に隙間を有するように支持され、発光部１２の回路基板１２ｂと回路基板１４ｄとの間に介在することによって、回路基板１２ｂと回路基板１４ｄ間の互いの熱的影響を遮断させている。なお、点灯装置１４を構成する回路基板１４ｄの出力端子と、発光部１２の回路基板１２ｂの入力端子がリード線（図示せず）によって接続される。
【００４７】
また、点灯装置１４の点灯回路１４ａおよび制御回路１４ｂは、図３の回路ブロック図に示すように構成される。すなわち、点灯回路１４ａは、ＡＣ／ＤＣコンバータ、整流回路や定電流供給回路等からなり、商用電源Ｅの交流電圧１００Ｖを直流電圧２４Ｖに変換して各ＬＥＤ１２ａに定電流の直流電流を供給する。制御回路１４ｂは、マイクロコンピュータ等で構成され、センサ１３から伝送された検知信号に基づき、自動的に点灯・消灯、調光、調色を行うための制御信号を生成して点灯回路１４ａに供給する。点灯回路１４ａは、この制御信号に基づいて発光部１２のＬＥＤ１２ａを自動的に点灯・消灯、調光、調色を行うように点灯制御する。なお、センサ１３は、後述するが、人体、明るさ、熱等を検知するもので、これらセンサ機能により照明する部屋の状況を検知し、検知した信号を制御回路１４ｂに伝送する。
【００４８】
また、本実施例における点灯装置１４は、制御回路１４ｂの入力側にセンサ用の接続端子１４ｂ１を有し、また、点灯回路１４ａと制御回路１４ｂが電源に対して並列に接続されており、センサ１３を開口部１１ｃに対して設置しない場合、すなわち、センサ用の接続端子１４ｂ１にセンサ１３を接続しない場合には、センサ付きでない通常の口金付ランプとして作動させることができる。また、開口部１１ｃにセンサ１３を設置し、センサ用の接続端子１４ｂ１にセンサを接続した場合には、センサ機能を付加したセンサ付の口金付ランプとして作動させることができる。
【００４９】
また、口金部材１５は、図１（ｂ）に示すように、銅や黄銅等の導電性を有する金属からなり、軸部１５ａと突設したプラグ部１５ｂを有するＧＸ５３形式の一対の口金ピンで構成する。この口金ピンは、ＰＢＴなどの耐熱性で電気絶縁性を有する合成樹脂で円板状に形成された支持基板１５ｃに樹脂成型により一体に埋め込まれて支持されている。口金ピンを一体に埋め込んだ支持基板１５ｃは、一対が用意され、ランプ本体１１のケース体１１ａの底面、換言すれば、環状の支持段部１１ａ４に、直径方向に対向して形成された円形の一対の支持孔１１ｄ６にそれぞれ嵌めこまれ、シリコーン樹脂やエポキシ樹脂等からなる接着剤で固定されている。そして、口金部材１５の一対のプラグ部１５ｂがランプ本体１１の外底面から外方に突出して設けられると共に、各軸部１５ａが点灯装置１４の回路基板１４ｄの入力端子とリード線ｗ１によって電気的に接続される。
【００５０】
これにより、口金部材１５から電源が導入されて点灯装置１４に供給され、点灯装置の出力が発光部１２に供給される。上記によりランプ本体１１の一端部側にカバー部材１１ｂおよびＬＥＤ１２ａからなる発光部１２が設けられ、他端部側にＧＸ５３形式の口金部材１５が設けられ、略中央部に、補助機能部材、本実施例ではセンサ１３を設置することが可能な開口部１１ｃを有するフラットな薄型構造のセンサ機能を付加することが可能な口金付ランプ１０が構成される。
【００５１】
以上、本実施例の補助機能部材を付加することが可能な口金付ランプによれば、中央部に外部に臨ませた開口部１１ｃを有する環状のランプ本体１１と、ランプ本体内の一面側に配設される環状の発光部１２と、ランプ本体の開口部１１ｃに介在される補助機能部材１３により、配光特性に影響を与えることがなく、外観、意匠的にも問題がなく、さらに小形化が可能な口金付ランプを構成することが可能となる。
【００５２】
特に、センサ等の補助機能部材が、ランプ本体１１の略中央部に設けられ、従来のようにアームを介してセンサが本体ケースの外側に設けられることがないので、配光特性に影響を与えることなく、また外観、意匠的な問題も発生しない。また、発光部１２は、６個のＬＥＤ１２ａからなる発光部１２が、ランプ本体１１内の一面側で開口部１１ｃの周囲に位置し、環状に連なるように配設されたドーナツ形の環状の発光部が構成されるので、全周囲にわたって略均等な配光特性をもった照明を行うことができる。また、センサ等の補助機能部材がランプ本体１１から突出することなく設けられるので、ランプが大きくなることがなく小形化を達成することが可能になる。
【００５３】
また、この口金付ランプ１０は、センサ機能等の補助機能をを有していない通常の口金付ランプとして使用することができると共に、別途に構成される補助機能部材、本実施例ではセンサ１３を適宜、設置することにより、センサ等の補助機能部材付きの口金付ランプを構成することができ、必要に応じて各種・多様な補助機能を付加することが可能な口金付ランプを構成することができ、便利でかつ汎用性に優れた口金付ランプを提供することが可能となる。しかも、補助機能部材は、単にランプ本体の開口部に収納し介在させるように差し込むだけでよく、構造が簡素化されると共に、簡単な作業で組み立てることができ量産化に適した口金付ランプを提供することが可能となる。
【００５４】
本実施例において、図４の回路ブロック図に示すように、点灯装置１４の制御回路１４ｂは、点灯装置１４に内蔵させることなく、後述するセンサユニット１３ｃに内蔵させ、このセンサユニットを開口部１１ｃに設置したときに、制御回路１４ｂに電源が供給さると共に、センサ１３が直結された制御回路１４ｂの出力が点灯回路１３ａに供給され、センサ付の口金付ランプとして作動させることができるように構成してもよい。
【００５５】
また、ランプ本体１１を構成するケース体１１ａの外方に露出する外面部分を、例えば、凹凸若しくは梨地状に形成して表面積を大きくしたり、白色塗装や白色アルマイト処理を施して外面部分の熱放射率を高めるようにしてもよい。また、白色塗装や白色アルマイト処理を施した場合には、口金付ランプを照明器具に装着して点灯した場合、外面に露出するランプ本体外面の反射率が高くなり、器具効率を高めることが可能となり、また外観、意匠的にも良好となり商品性を高めることもできる。
【実施例２】
【００５６】
本実施例は、実施例１の補助機能部材を付加することが可能な口金付ランプ１０を用いて、センサ付きの口金付ランプ１０−１を構成したものである。以下、実施例１と同一部分に同一符合を付し、共通する部分における詳細な説明は省略して説明する。
【００５７】
図５、図６に示すように、センサ１３は、人体、明るさ、熱等を検知する機能を有するもので、本実施例では、ランプ本体１１、すなわち、口金付ランプ自体に設置されてセンサ付きの口金付ランプ１０−１を構成する。センサ１３は、図６（ｂ）に示すように、一端部に鍔状をなす支持部１３ａを有し、他端部に検知素子１３ｂを有する円筒状をなすセンサユニット１３ｃで構成される。センサユニットは、本実施例の補助機能部材を構成するもので、ＰＢＴ等の白色の合成樹脂で形成され、一端部の鍔状をなす支持部１３ａが、口金付ランプの発光部１２を構成する回路基板１２ｂの略中央部に対して略垂直方向に支持されることによりランプ本体１１に支持される。支持部１３ａは、ネジまたはシリコーン樹脂やエポキシ樹脂等の耐熱性を有し電気絶縁性を有する接着剤で固定される。このとき、センサ１３の出力端子（図示せず）とセンサ用の接続端子１４ｂ１が電気的に接続される。
【００５８】
上記のように回路基板１２ｂに支持されたセンサユニット１３ｃに対して、カバー部材１１ｂを被せながらセンサユニット１３ｃを開口部１１ｃ内に収納し介在させるようにして、カバー部材１１ｂをケース体１１ａに嵌め込み固定する。これにより、センサ１３がランプ本体１１の開口部１１ｃに収納されて設けられ、ランプ本体の中央部に配設されると共に、センサユニット１３ａの他端部に設けられた検知素子１３ｂが開口部１１ｃの開口１１ｃ１から突出され外部に向かって臨ませた状態に配設される。これにより、補助機能部材であるセンサユニット１３ｃの他端部が、ランプ本体１１の開口部１１ｃから外部に向かって臨ませられる。同時に、６個のＬＥＤ１２ａからなる発光部１２が、ランプ本体１１内の一面側で開口部１１ｃの周囲に位置して環状に連なるように配設され、略円形のドーナツ状をなす発光面が構成される。なお、図中１３ｃ１は、検知素子１３ｂが発光部１２から放射される光の影響を受けないようにするために設けられた遮光板であり、検知素子１３ｂの周囲に所定の高さ寸法を有してセンサユニット１３ｃの上面に一体に形成されている。上記により、実施例１の補助機能部材を付加することが可能な口金付ランプ１０を用いたセンサ付の口金付ランプ１０−１が構成される。
【００５９】
以上、本実施例のセンサ付の口金付ランプによれば、中央部に外部に臨ませた開口部１１ｃを有する環状のランプ本体１１と、ランプ本体内の一面側に配設される環状の発光部１２と、ランプ本体の開口部１１ｃに介在されるセンサ１３により、配光特性に影響を与えることがなく、外観、意匠的にも問題がなく、さらに小形化が可能な口金付ランプを構成することが可能となる。
【００６０】
特に、センサ１３がランプ本体１１の略中央部に設けられているので、器具に組み込んで照明器具を構成した場合、反射板の反射性能に影響を与える問題もなく、器具の略全周囲にわたって均一な配光特性をもった照明を行うことができる。また、センサは反射板に設けられていないため、器具として外観、意匠的に商品性を損なう問題もない照明器具を提供することができる。また、ランプ本体１１内の一面側で開口部１１ｃの周囲に位置して環状の発光部１２を設けたので、ランプ本体１１の全周囲にわたって略均等な配光特性をもった照明を行うことができる。
【００６１】
同時に、センサは反射板に設けられていないため、センサの検知機能が妨げられることがなく、器具の略全周囲にわたって均一な検知範囲が設定され、確実に部屋等の状況を検知することができる。特に、本実施例によれば、検知素子１３ｂの周囲に、発光部１２から放射される光を遮光する遮光板１３ｃ１を設けたので、より確実なセンサによる検知を行うことができる。また、センサ１３がランプ本体１１から大きく突出して設けられていないため、ランプ本体の小形化を阻害することなく、本来のフラットな薄型構造を呈したセンサ付の口金付ランプ１０−１を提供することができる。しかも、センサ１３は、単にランプ本体１１の開口部１１ｃに収納し介在させるように差し込むだけでよく、構造が簡素化されると共に、簡単な作業で組み立てることができ、量産化に適したセンサ付の口金付ランプを提供することが可能となる。
【００６２】
本実施例において、図７（ａ）に示すように、センサユニット１３ｃは、発光部１２の回路基板１２ｂに支持せずに、遮熱板１６に支持することによりランプ本体１１に支持するようにしてもよい。この場合、カバー部材１１ｂに設けられる円筒状の開口部１１ｃを遮熱板１６の表面まで延長し、さらに、発光部１２の回路基板１２ｂは、中央部に開口部１１ｃが貫通されるようにリング状に形成する。そして、発光部１２を構成する６個のＬＥＤ１２ａは、このリング状の回路基板１２ｂに対して環状に連なるように実装し、発光部１２が開口部１１ｃの周囲に位置するように構成する。本構成によれば、センサの出力端子とセンサ用の接続端子１４ｂ１が近くなり、配線を簡素化させることができる。
【００６３】
また、図７（ｂ）に示すように、センサユニット１３ｃは、点灯装置１４の回路基板１４ｄに支持するすることによりランプ本体１１に支持するようにしてもよい。この場合、カバー部材１１ｂに設けられる円筒状の開口部１１ｃを点灯装置１４の回路基板１４ｄの表面まで延長し、さらに、発光部１２の回路基板１２ｂおよび遮熱板１６は、中央部に開口部１１ｃが貫通されるようにリング状に形成する。本構成によれば、センサの出力端子とセンサ用の接続端子１４ｂ１がより近くなり、配線をより簡素化させることができる。
【００６４】
また、図７（ｃ）に示すように、センサユニット１３ｃは、ケース体１１ａの凹嵌部１１ａ５の内底面に支持することによりランプ本体１１に支持するようにしてもよい。この場合、カバー部材１１ｂに設けられる円筒状の開口部１１ｃを点灯装置１４の凹嵌部１１ａ５の内底面の表面まで延長し、さらに、発光部１２の回路基板１２ｂ、遮熱板１６および点灯装置１４の回路基板１４ｄは、中央部に開口部１１ｃが貫通されるようにリング状に形成する。そして、各電子部品１４ｃは、リング状をなす回路基板１４ｄの表裏に実装され、ケース体１１ａのリング状の空間部内に収納される。本構成によれば、センサユニット１３ｃを剛性のあるケース体１１ａに直接支持することができ振動等に対して、より強固なセンサ付の口金付ランプ１０−１を構成することができる。なお、本実施例におけるその他の構成、作用、作用効果、変形例等は、実施例１と同様である。
【実施例３】
【００６５】
本実施例は、実施例２のセンサ付きの口金付ランプ１０−１を用いてダウンライト形の照明器具３０を構成したものである。以下、実施例１、２と同一部分に同一符合を付し、共通する部分における詳細な説明は省略して説明する。
【００６６】
図１１、図１２に示すように、照明器具３０は、実施例２のセンサ付きの口金ランプ１０−１と、この口金付ランプが装着されるソケット装置２０からなる。ソケット装置は、実施例１、２で説明したＧＸ５３形式の口金部材１５が電気的に接続され、照明器具に組み込まれて使用される器具組込形のソケット装置で構成する。ソケット装置２０は、図８に示すように、熱伝導性部材からなるソケット本体２１、口金付ランプ１０−１の口金部材１５が電気的に接続される一対の端子板２２、端子板が収納されると共に、口金付ランプに対する電気接続時に、口金付ランプ１０とソケット本体とを機械的に結合する一対の係合孔２３で構成する。
【００６７】
ソケット本体２１は、ランプ本体１１と同様に、放熱性を高めるために熱伝導性の良好な金属、本実施例では、アルミニウムで構成された横断面の平面形状が略円形で中央部に貫通した支持孔２１ａを有したリング状に形成される。支持孔２１ａの直径寸法ｄ１は、ランプ本体１１の支持段部１１ａ４の突出部、換言すれば、凹嵌部１１ａ５の外周面の直径寸法ｄ２（図５（ｂ））より多少大きく（ｄ１＞ｄ２）形成し、ランプ本体の凹嵌部１１ａ５がソケット本体の支持孔２１ａ内に嵌め込むことができるように構成する。これら構成のソケット本体２１は、例えば、鋳造、鍛造または切削加工等で加工される。
【００６８】
端子板２２は、口金付ランプ１０−１のＧＸ５３形式の一対の口金部材１５が電気的に接続された際に、口金部材１５が接触して口金付ランプ１０−１に商用電源を供給するための部材で、一定の剛性とバネ性を有し、かつ導電性の良好な金属、例えば、銅、黄銅、リン青銅等からなる「く」の字に折り曲げられたバネ性を有する端子板で構成する。この端子板２２は、図８に示すように、ＰＢＴなどの耐熱性で電気絶縁性を有する合成樹脂で四角柱に形成された支持体２２ｂの係合孔２３内に収納されて支持される。係合孔２３は、円弧状をなす長孔からなる係止孔２３ａと、この係止孔の一端に連続して形成された円形の孔からなる挿入孔２３ｂの通称「ダルマ孔」からなる。この挿入孔２３ｂの直径寸法は、口金部材１５のプラグ部１５ｂの直径寸法より大きく形成し、係止孔２３ａの長孔の幅寸法は、プラグ部１５ｂの直径寸法より小さく形成する。これにより、口金部材１５のプラグ部１５ｂが挿入孔２３ｂから挿入され、長孔からなる係止孔２３ａに移動させることによって、プラグ部１５ｂが係合孔２３内に収納された端子板２２に接触して電気的な接続がなされると共に、プラグ部１５ｂが係止孔２３の裏面側に係止してプラグ部１５ｂの係合孔２３からの抜け止めがなされて機械的に保持される。
【００６９】
上記のように、端子板２２を収納した支持体２２ｂは、一対が用意され、図８（ａ）に示すように、ソケット本体２１の表面に、直径方向に対向して形成された四角形の一対の支持孔２１ｂにそれぞれ嵌めこまれ、シリコーン樹脂やエポキシ樹脂等からなる接着剤で固定される。この状態で、ダルマ孔からなるからなる係合孔２３が、リング状をなすソケット本体２１の中心点ａに対して点対称となるように配置される。これにより、図９に示すように、口金部材１５のプラグ部１５ｂが挿入孔２３ｂから挿入されて係止孔２３ａに移動、すなわち、ソケット本体２１の中心点ａを中心にして角度α１だけ、図９中、矢印方向に回動させることによって、口金部材１５のプラグ部１５ｂが端子板２２に接触し、さらに端子板の「く」の字の突起部分を乗り越えて接触し電気接続がなされる。同時にプラグ部１５ｂが係止孔２３ａの裏面側に係止して機械的に保持される。
【００７０】
そして、端子板２２が、図８（ｂ）に示すように、屋内に配線されたＦケーブルｗ２によって商用電源に接続され、口金部材１５がソケット装置２０の端子板２２に接続されると、端子板２２から口金部材１５を介して電源が導入され、センサ付の口金付ランプ１０−１の点灯装置１４に供給され発光部１２に供給される。
【００７１】
次に、上記に構成されたソケット装置２０と、センサ付きの口金付ランプ１０−１からなる照明器具の構成につき説明する。図１０〜図１３に示すように、３０は店舗等の天井面Ｘに埋め込み設置されるダウンライト形の照明器具で、下面に開口部３１を有する金属製の箱状をなした器具本体３２と、開口部３１に嵌合される金属製の反射体３３と、反射体３３の上面板の中央部に上記構成のソケット装置２０が設置され、屋内に配線されたＦケーブルによって商用電源に接続される。
【００７２】
また、本実施例における点灯装置１４の点灯回路１４ａおよび制御回路１４ｂは、図１３の回路ブロック図に示すように構成される。すなわち、点灯回路１４ａおよび制御回路１４ｂは、実施例１と同様に構成され、商用電源Ｅがソケット装置２０の端子板２２と口金部材１５が電気的に接続されることにより点灯回路１４ａおよび制御回路１４ｂに供給される。また、センサ１３の検知信号がセンサ用の接続端子１４ｂ１から制御回路１４ｂに伝送される。
【００７３】
上記に構成された照明器具３０において、ＧＸ５３形式の口金部材１５が設けられ、フラットな薄型構造のセンサ付の口金付ランプ１０−１をソケット装置２０に装着する。その装着は、図９、図１２に示すように、口金付ランプ１０の一対の口金部材１５をソケット装置２０の係合孔２３に対向させ、口金部材１５のプラグ部１５ｂを挿入孔２３ｂに挿入して、図９中、矢印の方向に角度α１だけ回動させる。これにより、口金部材１５のプラグ部１５ｂが端子板２２に接触して電気接続がなされ、同時にプラグ部１５ｂが係止孔２３ａの裏面側に係止して機械的に保持される。なお、逆方向に回動させることによってソケット装置２０からセンサ付の口金付ランプ１０−１を取り外すことができる。
【００７４】
上記により、ＬＥＤを光源としたフラットな薄型構造のセンサ付の口金付ランプ１０−１を光源としたダウンライト形の照明器具３０が構成される。この状態で電源を投入すると、ソケット装置２０から口金付ランプ１０−１の口金部材１５を介して電源が供給され、点灯装置１４が動作し２４Ｖの直流電圧が出力される。この直流電圧は点灯装置１４から各ＬＥＤ１２ａに印加され、定電流の直流電流が供給されて全てのＬＥＤが同時に点灯する。各ＬＥＤ１２ａから放射された白色の光は、カバー部材１１ｂの内面全体に向かって略均等に放射され、さらに乳白色のグローブで光が拡散され所定の配光特性をもった照明を行うことができる。この際、センサ１３はランプ本体１１の略中央部に設けられ、反射板の内面にセンサが設けられていないため、反射板の反射性能に影響を与える問題もなく、器具の略全周囲にわたって均一な配光特性をもった照明を行うことができる。また、器具として外観、意匠的に商品性を損なう問題もない。また、センサ付の口金付ランプ１０−１の発光部１２は、６個のＬＥＤ１２ａからなる発光部１２が、ランプ本体１１内の一面側で開口部１１ｃの周囲に位置して環状に連なるようにランプ本体内に配設されたドーナツ形をなす環状の発光部が構成されているので、器具の略全周囲にわたって一層均一な配光特性をもった照明を行うことができる。
【００７５】
また、同時にセンサ１３が作動し、人体、明るさ、熱等を検知する。例えば、部屋から人が出た場合には、人体センサによって人がいないことを検知して自動的に消灯する。また、昼間において太陽の光によって部屋が明るくなっている場合には、明るさセンサによって、その明るさを検知し、例えば、５０％調光の信号を伝送し、ＬＥＤ１２ａの出力を５０％程度低下させて省エネによる照明等を行う。この際、センサ１３はランプ本体１１の略中央部に設けられ、反射板に設けられていないため、センサの検知機能が妨げられることがなく、器具の略全周囲にわたって均一な検知範囲が設定され、確実に部屋の状況を検知することができる。また、検知素子１３ｂの周囲に所定の高さ寸法を有して遮光板１３ｃ１を設けたので、検知素子１３ｂが発光部１２から放射される光の影響を受けることがなく、より確実なセンサによる検知を行うことができる。
【００７６】
また、口金付ランプ１０−１が点灯されると、ＬＥＤ１２ａの温度が上昇し熱が発生する。その熱は、熱伝導性の良好なアルミニウムからなる回路基板１２ｂから、基板が直接密着して固定された基板支持部１１ａ２に伝達され、アルミニウムからなるケース体１１ａの外周面から放熱フィン１１ａ６を介して外部に放熱される。また、点灯装置１４の電子部品１４ｃから発生する熱は、ケース体１１ａから外部に放熱される。これら放熱作用によりＬＥＤ１２ａの温度上昇および点灯装置１４における電子部品１４ｃの温度上昇が抑制される。
【００７７】
以上、本実施例の照明器具によれば、センサ１３がランプ本体１１の略中央部に設けられているので、反射板の反射性能に影響を与える問題もなく、器具の略全周囲にわたって均一な配光特性をもった照明を行うことができる。また、センサは反射板に設けられていないため、器具として外観、意匠的に商品性を損なう問題もない照明器具を提供することができる。また、開口部１１ｃの周囲に位置して環状の発光部１２を設けたので、ランプ本体１１の全周囲にわたって略均等な配光特性をもった照明を行うことができる。
【００７８】
同時に、センサ１３は反射板に設けられていないため、センサの検知機能が妨げられることがなく、器具の略全周囲にわたって均一な検知範囲が設定され、確実に部屋等の状況を検知することができる。特に、センサ１３がランプ本体１１から大きく突出して設けられていないため、照明器具の小形化を阻害することなく、フラットな薄型構造を呈したダウンライト形の照明器具を提供することができる。なお、本実施例におけるその他の構成、作用、作用効果、変形例等は、実施例１、２と同様である。
【実施例４】
【００７９】
本実施例は、実施例１の補助機能部材を付加することが可能な口金付ランプ１０を用い、ソケット装置２０に対して補助機能部材、本実施例ではセンサ１３を設けることによりダウンライト形の照明器具４０を構成したものである。以下、実施例１〜３と同一部分に同一符合を付し、共通する部分における詳細な説明は省略して説明する。
【００８０】
図１４、図１５に示すように、本実施例の口金付ランプは、補助機能部材を設置することが可能なランプ本体１１の開口部１１ｃが、貫通する孔で構成されたフラットなドーナツ形の薄型構造の口金付ランプ１０−２として構成する。そして、この口金付ランプ１０−２をソケット装置２０に装着することによって、ソケット装置２０に設けられた補助機能部材、本実施例ではセンサ１３が、貫通する開口部１１ｃ内に挿入され介在されることによってセンサ付の照明器具４０が構成される。
【００８１】
口金付ランプ１０−２に設けられる開口部１１ｃは、ケース体１１ａとカバー部材１１ｂからなるランプ本体１１の略中央部にランプ表面から裏面にわたり貫通する孔で構成し、ランプ本体の全体形状が略ドーナツ状をなすように構成する。すなわち、ランプ本体１１のケース体１１ａの底面、換言すれば、凹嵌部１１ａ５の底面から円筒状をなす空間部を形成するようにして本体側の開口部１１ｃを一体に立ち上げて形成する。この開口部１１ｃの開口端部は、カバー部材１１ｂの円筒状をなす空間部を構成するカバー側の開口部１１ｃの開口端部に嵌合して連結するように構成する。これによって、カバー部材１１ｂの開口部１１ｃとケース体１１ａの開口部１１ｃによって、ランプ本体１１の略中央部にランプ表面から裏面にわたり円筒状の貫通する孔で構成された本実施例における開口部１１ｃが形成される。
【００８２】
なお、本実施例における発光部１２の回路基板１２ｂ、点灯装置１４の回路基板１４ｄおよび遮熱板１６は、中央部に開口部１１ｃが貫通されるようにリング状に形成する。そして、発光部１２を構成する６個のＬＥＤ１２ａは、このリング状をなす回路基板１２ｂに対して環状に連なるように実装し、発光部が開口部１１ｃの周囲に位置するように構成する。また、点灯回路１４ａおよび制御回路１４ｂを構成する各電子部品１４ｃは、リング状の回路基板１４ｄの表裏に実装され、ケース体１１ａのリング状の空間部内に収納される。
【００８３】
ソケット装置２０に設けられるセンサユニット１３ｃは、一端部の支持部１３ａが径の大きな薄い鍔状をなす支持部で構成される。これにより、薄い円板状をなす支持部１３ａの略中心部に対して、他端部に検知素子１３ｂを有する円筒状をなすセンサユニット１３ｃが立設された形態に構成される。このセンサユニット１３ｃは、ソケット装置２０の一端部側から支持孔２１ａ内に挿入され、鍔状をなす支持部１３ａがソケット装置２０の一端部側に対して、ネジまたはシリコーン樹脂やエポキシ樹脂等の耐熱性を有し電気絶縁性を有する接着剤で固定される。この状態でセンサユニット１３ｃの他端部に設けられた検知素子１３ｂが、ソケット装置２０の支持孔２１ａから外部に向けて臨ませられる。
【００８４】
そして、上記のように検知素子１３ｂが外部に臨ませられているソケット装置２０は、図１４（ｂ）に示すように、器具本体４１の反射板４３の内面に取り付けられる。この器具に装着されたソケット装置２０に対し、全体形状が略ドーナツ状をなす口金付ランプ１０−２の口金部材１５を装着することによって、ランプ本体１１の略中央部に形成された開口部１１ｃに対して、センサユニット１３ｃが挿入されてランプ本体１１の中央部に配設されると共に、他端部の検知素子１３ｂが開口部１１ｃの開口１１ｃ１から外部に向かって臨ませたダウンライト形のセンサ付の照明器具４０が構成される。
【００８５】
また、本実施例におけるセンサ１３は、ソケット装置２０側に設けられており、電源を接続するための口金部材１５とは別個のセンサ用口金部材１７によって、口金付ランプ１０−２側に設けられた制御回路１４ｂと電気的に接続される。すなわち、センサ用口金部材１７は、図１５、図１６に示すように電源用の口金部材１５と同様に、銅や黄銅等の導電性を有する金属からなり、軸部１７ａと突設したプラグ部１７ｂを有するＧＸ５３形式の一対の口金ピンで構成する。この口金ピンは、ＰＢＴなどの耐熱性で電気絶縁性を有する合成樹脂で円板状に形成された支持基板１７ｃに樹脂成型により一体に埋め込まれて支持されている。支持基板１７ｃは、一対が用意され、ランプ本体１１のケース体１１ａの底面、換言すれば、環状の支持段部１１ａ４に、直径方向に対向して形成された円形の一対の支持孔にそれぞれ嵌めこまれ、シリコーン樹脂やエポキシ樹脂等からなる接着剤で固定されている。この際、センサ用口金部材１７を設ける位置は、図１６（ｂ）に示されるように、電源用の一対の口金部材１５が設けられる円の軌跡上における直径寸法より大きい円の軌跡上に、直径方向に対向し、かつ電源用の口金部材１５の近傍に位置させて配線を簡素化する。そして、センサ用口金部材１７の一対のプラグ部１７ｂがランプ本体１１の外底面から外方に突出して設けられると共に、各軸部１７ａが点灯装置１４における制御回路１４ｂの入力端子とリード線によって電気的に接続される。
【００８６】
また、ソケット装置２０には、図１６（ａ）に示すように、センサ用口金部材１７が電気的に接続されるセンサ用端子板１８が設けられ、このセンサ用端子板が収納されると共に、口金付ランプ１０−２に対する電気接続時に、口金付ランプとソケット本体２１とを機械的に結合する係合孔１９が形成される。このセンサ用端子板１８は、電源用の端子板２２と同様に構成され、また、係合孔１９も電源用の係合孔２３と同様に、円弧状をなす長孔からなる係止孔１９ａと、この係止孔の一端に連続して形成された円形の孔からなる挿入孔１９ｂの通称「ダルマ孔」で構成される。
【００８７】
これら構成からなる係合孔１９およびセンサ用端子板１８は、電源用の係合孔２３および端子板２２が設けられる円の軌跡上における直径寸法より大きい円の軌跡上に、直径方向に対向し、かつ電源用の係合孔２３および端子板２２の近傍に位置させて配線を簡素化すると共に、電源用の口金部材１５とセンサ用口金部材１７のソケット装置２０に対する誤挿入が防止されている。
【００８８】
そして、センサ用口金部材１７のプラグ部１７ｂが挿入孔１９ｂから挿入され、係止孔１９ａに移動させることによって、プラグ部１７ｂが係合孔１９内に収納されたセンサ用端子板１８に接触して電気的な接続がなされると共に、プラグ部１７ｂが係止孔１９ａの裏面側に係止してプラグ部１７ｂの係合孔１９からの抜け止めがなされて機械的に保持される。すなわち、本実施例においては、口金付ランプ１０−２が電源用の一対の口金部材１５と一対のセンサ用口金部材１７によって４箇所がソケット装置２０に対して機械的に支持される。また、上記に構成された一対のセンサ用端子板１８には、センサ１３における検知素子１３ｂの出力線が接続される。これにより、センサ１３の検知信号がセンサ用端子板１８からセンサ用口金部材１７を介して、点灯装置１４の制御回路１４ｂに伝送される。
【００８９】
また、本実施例における点灯装置１４の点灯回路１４ａおよび制御回路１４ｂは、図１７の回路ブロック図に示すように構成される。すなわち、点灯回路１４ａおよび制御回路１４ｂは、実施例１と同様に構成され、商用電源Ｅがソケット装置２０の端子板２２と口金部材１５が電気的に接続されることにより点灯回路１４ａおよび制御回路１４ｂに供給される。また、センサ１３の検知信号がソケット装置２０のセンサ用端子板１８とセンサ用口金部材１７が電気的に接続されることにより制御回路１４ｂに伝送される。
【００９０】
上記に構成された照明器具４０において、ＧＸ５３形式の口金部材１５およびセンサ用口金部材１７が設けられたフラットなドーナツ形の薄型構造の口金付ランプ１０−２をソケット装置２０に装着する。その装着は、図１６に示すように、口金付ランプ１０の一対の口金部材１５をソケット装置２０の係合孔２３に対向させ、同時に一対のセンサ用口金部材１７をソケット装置２０の係合孔１９に対向させ、口金部材１５のプラグ部１５ｂを挿入孔２３ｂに、センサ用口金部材のプラグ部１７ｂを挿入孔１９ｂに挿入して、図１６中、矢印の方向に角度α１だけ回動させる。これにより、口金部材１５のプラグ部１５ｂが端子板２２に接触し、センサ用口金部材１７のプラグ部１７ｂがセンサ用端子板１８に接触し、それぞれの電気接続がなされる。同時にプラグ部１５ｂおよびプラグ部１７ｂが、係止孔２３ａおよび係止孔１９ａの裏面側に係止して機械的に保持される。なお、逆方向に回動させることによってソケット装置２０から口金付ランプ１０−２を取り外すことができる。これにより、ＬＥＤを光源としたフラットな薄型構造の口金付ランプ１０を光源としたダウンライト形のセンサ付の照明器具４０が構成される。また、本実施例において、センサ無しの照明器具を構成する場合には、センサの付いていない通常のソケット装置を器具本体に取り付け、このソケット装置に対して本実施例のフラットなドーナツ形の薄型構造の口金付ランプ１０−２を装着することによって、通常のセンサ無しの照明器具を構成することもできる。
【００９１】
以上、本実施例においても、実施例１〜３と同様の作用効果を奏することができると共に、特に、本実施例によれば、口金付ランプとしてはセンサを備えない安価なランプとして構成することもでき、センサ付とセンサ無しのソケット装置を用意することで、センサ付の照明器具と通常のセンサ無しの照明器具を、使用環境や用途に応じて選択し容易に構成することができ、汎用性および商品性に優れたダウンライトやスポットライト等の各種・多様な照明器具を構成することができる。
【００９２】
また、センサユニット１３ｃは、径の大きな薄い鍔状をなす支持部１３ａで構成されているので、ソケット装置２０の一端部側に対して、ネジまたはシリコーン樹脂やエポキシ樹脂等の耐熱性を有し電気絶縁性を有する接着剤で固定することができ、通常のソケット装置をそのまま使用してセンサ付の照明器具を構成することも可能になる。
【００９３】
以上本実施例において、センサ１３のセンサユニット１３ｃは、ソケット装置２０の一端部側に固定することなく、ソケット装置２０の一端部側と器具本体４１の反射板４３の内面との間に挟持されて支持されるようにし、ソケット装置２０に対して一体化せずに間接的に支持されるようにしてもよい。なお、本実施例におけるその他の構成、作用、作用効果、変形例等は、実施例１〜３と同様である。
【実施例５】
【００９４】
本実施例は、実施例１の補助機能部材を付加することが可能な口金付ランプ１０を用い、アダプタ装置６０に対して補助機能部材、本実施例ではセンサ１３を設けることにより直付け形の照明器具５０を構成したものである。以下、実施例１〜４と同一部分に同一符合を付し、共通する部分における詳細な説明は省略して説明する。
【００９５】
図１８、図１９に示すように、本実施例の口金付ランプは、実施例４と同様に、ＧＸ５３形式の口金部材１５とセンサ用口金部材１７が設けられ、補助機能部材を設置することが可能なランプ本体１１の開口部１１ｃが、貫通する孔で構成されたフラットなドーナツ形の薄型構造の口金付ランプ１０−３として構成する。この口金付ランプをアダプタ装置６０に装着することによって、アダプタ装置に設けられた補助機能部材、本実施例では、センサ１３が貫通する開口部１１ｃ内に挿入されることによってセンサ付の直付け形の照明器具５０が構成される。
【００９６】
口金付ランプ１０−３に設けられる開口部１１ｃは、実施例４と同様に、ケース体１１ａとカバー部材１１ｂからなるランプ本体１１の略中央部にランプ表面から裏面にわたり貫通する円筒状の孔で構成し、ランプ本体の全体形状が略ドーナツ状をなすように構成する。また、アダプタ装置６０に設けられるセンサユニット１３ｃも実施例４と同様に構成され、薄い円板状をなす支持部１３ａの略中心部に対して、他端部に検知素子１３ｂを有する円筒状をなすセンサユニット１３ｃが立設された形態に構成される。このセンサユニット１３ｃは、アダプタ装置６０の他端部側に対して、ネジまたはシリコーン樹脂やエポキシ樹脂等の耐熱性を有し電気絶縁性を有する接着剤で固定される。この状態でセンサユニット１３ｃの他端部に設けられた検知素子１３ｂが、アダプタ装置６０の他端部側から外部に臨ませられる。
【００９７】
そして、上記にように検知素子１３ｂが外部に臨ませられているアダプタ装置６０は、図１８に示すように、天井面Ｘに設置された引掛シーリング７０に装着される。この引掛シーリングに装着されたアダプタ装置６０に対し、全体形状が略ドーナツ状をなす口金付ランプ１０−３の口金部材１５およびセンサ用口金部材１７を装着することによって、ランプ本体１１の略中央部に形成された開口部１１ｃに対して、センサユニット１３ｃが挿入されてランプ本体１１の中央部に配設されると共に、他端部の検知素子１３ｂが開口部１１ｃの開口部１１ｃ１から外部に向かって臨ませた直付け形の照明器具５０が構成される。図中５１はアダプタ装置６０に取り付けられたセードである。
【００９８】
また、本実施例におけるセンサ１３は、アダプタ装置６０側に設けられており、口金付ランプ１０側に設けられた制御回路１４ｂとは、電源を接続するための口金部材１５とは別個の、実施例４と同様構成のセンサ用口金部材１７によって電気的および機械的に接続され、センサ１３の検知信号がセンサ用端子板１８からセンサ用口金部材１７を介して、点灯装置１４の制御回路１４ｂに伝送される。
【００９９】
また、本実施例における点灯装置１４の点灯回路１４ａおよび制御回路１４ｂは、図２０の回路ブロック図に示すように構成される。すなわち、点灯回路１４ａおよび制御回路１４ｂは、実施例１と同様に構成され、商用電源Ｅがアダプタ装置６０の端子板２２と口金部材１５が電気的に接続されることにより点灯回路１４ａおよび制御回路１４ｂに供給される。また、センサ１３の検知信号がアダプタ装置６０の端子板１８とセンサ用口金部材１７が電気的に接続されることにより制御回路１４ｂに伝送される。
【０１００】
なお、上述したアダプタ装置６０は、図１９に示すように、実施例３、４におけるソケット装置２０と同様に、熱伝導性部材からなるアダプタ本体６１、口金付ランプ１０−３の口金部材１５が電気的に接続される端子板２２およびセンサ用口金部材１７が接続されるセンサ用端子板１８、これら端子板が収納されると共に、口金付ランプに対する電気接続時に、口金付ランプ１０−３とアダプタ本体６１とを機械的に結合する電源用の係合孔２３およびセンサ用の係合孔１９で構成する。これら端子板２２、１８および係合孔２３、１９は、アダプタ本体６１の他端部側に設けられると共に、一端部側には引掛シーリング７０に接続される公知のＬ形端子６２が設けられて構成される。これら口金部材１５、１７、端子板２２、１８および係合孔２３、１９の作用は、実施例４と同様であり詳細な説明は省略する。
【０１０１】
上記に構成された照明器具５０において、ＧＸ５３形式の口金部材１５およびセンサ用口金部材１７が設けられたフラットなドーナツ形の薄型構造の口金付ランプ１０−３をアダプタ装置６０に装着する。その装着は、実施例４と同様の操作によって装着され、ＬＥＤを光源としたフラットな薄型構造の口金付ランプ１０−３を光源とした直付け形のセンサ付の照明器具５０が構成される。
【０１０２】
以上、本実施例においても、実施例１〜４と同様の作用効果を奏することができると共に、実施例４と同様に、口金付ランプとしてはセンサを備えない安価なランプとして構成することもでき、センサ付とセンサ無しのアダプタ装置を用意することで、センサ付の照明器具と通常のセンサ無しの照明器具を、使用環境や用途に応じて選択し容易に構成することができ、汎用性および商品性に優れた各種・多様な直付け形の照明器具を構成することができる。また、センサユニット１３ｃは、薄い円板状をなす支持部１３ａで構成されているので、アダプタ装置６０の他端部側に対して、ネジまたはシリコーン樹脂やエポキシ樹脂等の耐熱性を有し電気絶縁性を有する接着剤で固定することができ、通常のソケット装置をそのまま使用してセンサ付の照明器具を構成することも可能になる。なお、本実施例におけるその他の構成、作用、作用効果、変形例等は、実施例１〜４と同様である。
【０１０３】
以上、本発明の好適な実施形態を説明したが、本発明は上述の各実施例に限定されることなく、例えば、光源として蛍光ランプを用い、ＧＸ５３形式の口金部材が設けられたフラットな薄型構造の口金付ランプを構成するなど、本発明の要旨を逸脱しない範囲内において、種々の設計変更を行うことができる。
【符号の説明】
【０１０４】
１０  口金付ランプ
１１  ランプ本体
１１ｃ  開口部
１２  発光部
１３  補助機能部材
１３ａ  支持部
１３ｃ  センサユニット
１４  点灯装置
１５  口金部材
２０  ソケット装置
３０、４０、５０  照明器具
６０  アダプタ装置
７０  引掛シーリング
【図１】
0005637417.tif 000002
【図２】
0005637417.tif 000003
【図３】
0005637417.tif 000004
【図４】
0005637417.tif 000005
【図５】
0005637417.tif 000006
【図６】
0005637417.tif 000007
【図７】
0005637417.tif 000008
【図８】
0005637417.tif 000009
【図９】
0005637417.tif 000010
【図１０】
0005637417.tif 000011
【図１１】
0005637417.tif 000012
【図１２】
0005637417.tif 000013
【図１３】
0005637417.tif 000014
【図１４】
0005637417.tif 000015
【図１５】
0005637417.tif 000016
【図１６】
0005637417.tif 000017
【図１７】
0005637417.tif 000018
【図１８】
0005637417.tif 000019
【図１９】
0005637417.tif 000020
【図２０】
0005637417.tif 000021